Podtech/llm-jp-corpus-v4-ja_patent huggingface dataset:
(57)【要約】【課題】  簡単に脊椎のツボを刺激して腰痛の予防、背骨を矯正する脊椎ツボ押し器具を提供する。【解決手段】本発明による脊椎ツボ押し器具は、比較的軽量なのでどこにでも持ち歩き可能でデザインもおしゃれに作られており、ツボ押しの突起の部分は取り外し可能で使用者の痛みの部分に合わせて、調整可能で、前後の傾斜も違うので１８０度向きを変えることができる。【選択図】図１
2019097684.tif 000002
【特許請求の範囲】
【請求項１】
山状の本体に穴が開いていて、その穴にはめる球状の突起物があります
その球状の突起物は取り外し可能に、こうせいしたことを、特徴とする
脊椎ツボ押し器具である。
【発明の詳細な説明】
【技術分野】
【０００１】
本発明は、脊椎のツボを刺激して、腰痛の予防、背骨を矯正する  
脊椎ツボ押し器具を提供する。  
【背景技術】
【０００２】
長い時間座り姿勢での仕事で腰痛を感じたり、運動不足、骨の変形で、痛みをお持ち
の方に本来人間の正しい姿勢をとりもどすお手伝いをさせていただく器具として
開発した。主に背筋を伸ばしたりツボ押しで刺激して腰痛疾患の緩和に使用し
腰椎の矯正及び回復にも用いられる。
【０００３】
従来の治療法は牽引で脊椎矯正をした結果脊椎を伸ばし、脊椎を直線的にしている。
本来正常なＳ字カーブをなくししまう治療法がとられている問題点があった。
【０００４】
そのため、牽引した後、脊椎は真っ直ぐなるが、脊椎のいたるところで、痛みを発生
させてしまう状況になっていたこの結果を改善するために脊椎のＳカーブを作る
器具を提供することを目的としている。
【０００５】
そこで脊椎のＳ字カーブを作るために、山形の固形の台の上に大きめの突起物をつ
けて、ツボを刺激しながらＳ字の湾曲を作る突起物は、使用者の痛みに合わせ
て突起物を自由に変えることができる。                
【先行技術文献】
【特許文献】
【０００６】
【特許文献１】特開平10-137275号
【発明の概要】
【発明が解決しようとする課題】
【０００７】
この製品は山がたになり、脊椎カーブを作りだす役目はするが、この形だけでは背中
に圧迫感を感じ枕を背中に当てた程度の効果しか見込めない。
【課題を解決するための手段】
【０００８】
本発明による脊椎ツボ押し器具は、比較的軽量なのでどこにでも持ち歩き使用可能
でデザインもおしゃれに作られている。ツボ押しの突起の部分は取り外し可能で
使用者の痛みの部分に合わせて、調整可能なようにできている。
【発明の効果】
【０００９】
普段は背中をのせて使用者の体重により各種のツボを刺激しながら、脊椎のＳ字
カーブを作ります。車に乗るときも椅子の背もたれに置きマッサージ効果を味わい
ながら脊椎のＳ字カーブを作ることにより、腰痛の予防にもつながる。
【図面の簡単な説明】
【００１０】
【図１】図１は脊椎ツボ押し本体の基本パターンを示す図である。
【図２】図２は脊椎ツボ押し本体の突起を外した図である。
【図３】図３は脊椎ツボ押し器具の使い方を示す図である。
【発明を実施するための形態】
【００１１】
本発明は上記の、問題点を解決し、乗って快適な気持ちになる現代に合った安全な  
脊椎ツボ押し器具を提供するものである。
【実施例１】
【００１２】
図１は、本発明の基本パターンの突起物配列を示し、本体に突起物をつけて
望ましい脊椎のＳカーブを作るものである。なお本体の前後の傾斜は違いがあり
１８０度回転できる。
【００１３】
脊椎ツボ押し器具は図２の示す通りで、穴を開けた本体と、球体に足をつけた突起物
からなり、突起物を本体に差し込むことができる。
【００１４】
本体、突起物の素材は木または、合成樹脂、プラッスチック、他で作ることができる。
【００１５】
図２は、突起物を外した本体で、本体には１４個の穴が開いていて
どの場所にも突起物を差し込むことができる。
【００１６】
よって使用者の脊椎の痛みに合せて突起物の配列を変更できる。
【００１７】
突起物の数は１２個にして、上下横に４個の突起物をつけることにより体が安定して
脊椎ツボ押し器具に乗ることができ今まで味わったことのないツボ押しを経験でき
使用者が自由に突起物の配置を決めることができる。
【００１８】
突起物の１２個に、色をつける、一色４個合計３色の色をつける
本体の色は別の色をつけて見た目も重視する。
【実施例２】
【００１９】
図３は、使用例で、床に脊椎ツボ押し器具を置き、その上に仙骨から腰椎にかけて
あお向きに脊椎ツボ押し器具にのり、仙骨から腰椎のＳ字カーブ作ります。
脊椎ツボ押し器具をずらして、脊椎の他の部分のツボ押しもできる。
【産業上の利用可能性】
【００２０】
以上の背骨、脊椎矯正効果、安定したツボ押し、を実現した脊椎ツボ押し器具は  
現代人の多くにみられる腰痛の予防治療を手軽に、自宅でできて持ち運び
が楽でどこでも使える脊椎ツボ押し器具であり、これは多くの人々に多大な
利益をもたらすものである。
【符号の説明】
【００２１】
１    本体
２    突起物
３    穴
４    突起物の足
【図１】
2019097684.tif 000003
【図２】
2019097684.tif 000004
【図３】
2019097684.tif 000005
(57)【要約】      （修正有）【課題】魚を鑑賞するとき水槽の上縁や水面が景観上障害とならない鑑賞用水槽を提供する。【解決手段】鑑賞部となる密閉様容器を主水槽１としその側面に設けた水が出入する水出入口４を介して水出入口４より上の高さで天方向に開口した副水槽２を設けさらに水出入口４が天方向になるように横に倒したとき鑑賞部の主水槽１の壁上に水が貯留できるように主水槽１の側壁を延長して設けた副水槽２と連続した水貯留部３を持つことを特徴とする鑑賞用水槽。【選択図】図１
2019097548.tif 000002
【特許請求の範囲】
【請求項１】
鑑賞部となる密閉様容器を主水槽としその側面に設けた水が出入する水出入口を介して  水出入口より上の高さで天方向に開口した副水槽を設け  さらに  水出入口が天方向になるように横に倒したとき鑑賞部の主水槽の壁上に水が貯留できるように主水槽の側壁を延長して設けた副水槽と連続した水貯留部を持つことを特徴とする鑑賞用水槽。
【請求項２】
水槽の壁面に密閉式の蓋を設けた  請求項１の鑑賞用水槽。
【発明の詳細な説明】
【技術分野】
【０００１】  本発明は、観賞魚等を鑑賞するのに好適な水槽に関するものである。
【背景技術】
【０００２】  水槽を上や斜め上から見ると水槽の枠水面が魚を鑑賞するのに障害となる。観賞魚が空中を泳いで見えるように球体や円柱や直方体の透明の容器や水槽を  開口部を下にしてその開口部より広い水槽に設置して  上の水槽で魚を鑑賞する空中水槽がある（特許文献１文献２参照）。また、水槽の展示部分を高くして  水槽上部で吸引して水位を高く保持するものがある（文献３参照）
【先行技術文献】
【特許文献】
【０００３】
【特許文献１】実開平５−４３８７５
【特許文献２】特開２０００−３０８４３１
【特許文献３】特開２００６−４２７１５
【発明の概要】
【発明が解決しようとする課題】
【０００４】  文献１文献２のように  円柱や立方体の容器を逆さまにして  開口部を下にして上になった部分で鑑賞部を設けると  鑑賞にはよいが  次の問題がある。
▲１▼  容器の中の空気を抜いて水位を上昇させるのに  脱気ポンプが必要で手間が          かかる。
▲２▼  上の鑑賞部の水槽が不安定となり  設置時や水換えや餌やり時  水槽の破損          や魚の損傷の可能性が高くなり  且つ  上の水槽が倒れると水びたしになる。
▲３▼  上の水槽の水量を下の水槽が受け止めるため  下の水槽が大きくなり  魚は          大きな水槽の方で泳ぐことが多くなる。また  上の水槽が転倒したときの水の          流出に備えて  下の水槽は大きな容量が必要である。できれば上の水槽の鑑賞          部分をできるだけ大きく  且つ  給水部や餌やり部は小さくしたい希望がある          。
本発明は  以上の問題を解決するためのものである。
【課題を解決するための手段】
【０００５】鑑賞部となる密閉様容器を主水槽としその側面に設けた水が出入する水出入口を介して水出入口より上の高さで天方向に開口した副水槽を設け  さらに水出入口が天方向に  なるように横に倒したとき鑑賞部の主水槽の壁上に水が貯留できるように主水槽の壁を延長して設けた副水槽と連続した水貯留部を持つことを特徴とした鑑賞用水槽。
【発明の効果】
【０００６】    魚の鑑賞部と給水部の容器を一体化したため  水槽同士がぶつからず破損しにくい。
空の水槽に給水するときは  水出入口が天方向になるように倒して  主水槽と水貯水部に水を注いでから水槽全体を起こすと  鑑賞部に空気が入らず水で満たされ  脱気ポンプが不必要となる。水槽を９０度回転させるだけで水の管理ができるため余分な空間が必要なくなり［０００４］の課題が解決される。
【図面の簡単な説明】
【００７】
【図１】本発明の使用状態を示した斜視図である。
【図２】本発明を透明平板にて作成した斜視図である。
【図３】図２の本発明に水と金魚を入れて使用法を示した側面簡易図である。
【発明を実施するための形態】
【００８】  以下図面に基づいて本発明の形態を説明する。図１は鑑賞部の主水槽１と餌やりやエアー補給装置に使用する副水槽２と水槽を倒したとき水を貯める貯水部３を示している。従来の餌やり部エアー補給装置が上から後方に移動し  鑑賞部主水槽が前面に展示されたため鑑賞しやすくなっている。  図１では主水槽１の上部がドーム状になっているが形は自由であり  鑑賞部が球形、ドーム形、円柱形と水槽の角が無いほど鑑賞が興味深いものとなる。水出入口４の上縁は副水槽２の上縁より下に位置し  貯水部３の壁の高さは水槽を横にして水を補給し水槽を立てたとき副水槽２の上縁を水が超えない位置とする。
【００９】  図２は透明平板７枚にて作成したものを後ろ斜めから見たものである。
【実施例】
【０１０】  図４の側面簡易図にて説明する。図４左図のように水出入口４を天方向にして水を水貯留部３に水を注ぎ入れる。このとき主水槽１が満水時に空気が入らないようする。貯水部３に注水後ゆっくりと図の支点７を支点として水槽を起こす。貯水部３の注水は水槽を起こした時に水位が水出入口４の上縁より上になるように調整する。副水槽２は餌やり部であり水調節部でもありエアー補給装置設置部でもある。エアーは主水槽１に行かないように設置しなければならない。【０１１】  主水槽１は水出入口４が開口部となっているため主水槽１内部に副水槽２から手が届きにくい。副水槽２の水面部と水出入口４が人の手前腕肘が入る大きさだと  主水槽１に手が入り清掃しやすいが  小さい水槽の場合  主水槽１に密閉性の蓋を設け主水槽を清掃するのも一案である。
【符号の説明】
【０１２】  １  主水槽（鑑賞部）
２  副水槽
３  貯水部
４  水出入口
５  水面
６  エアー補給装置
７  支点
【図１】
2019097548.tif 000003
【図２】
2019097548.tif 000004
【図３】
2019097548.tif 000005
(57)【要約】      （修正有）【課題】発光体ＬＥＤとソーラーパネルを設けて、高電力を発生させる放射発電機を提供する。【解決手段】ＬＥＤ１の一端にソーラーパネル２を放射状に設けソーラーパネル２で囲む。放射状のソーラーパネルは背中合わせにする。【選択図】図１
2019097369.tif 000002
【特許請求の範囲】
【請求項１】
発光体（１）の一端にソーラーパネル（２）を放射状に設けソーラーパネル（２）で囲む放射発電機。
【発明の詳細な説明】
【技術分野】
【０００１】  この発明は、発光体を中央にして、放射線状にソーラーパネルを設け全体をソーラーパネルで囲む放射発電機に関するものである。
【背景技術】
【０００２】  従来、発光体とソーラーパネルを設けた発電機はなかった。
【先行技術文献】
【０００３】
【特許文献１】
【非特許文献１】
【発明の概要】
【発明が解決しようとする課題】
【０００４】これは、次のような欠点があった。
（イ）発光体ＬＥＤが、太陽光に及ばない。
（ロ）ソーラーパネルを自動車に使用するのは問題がある。
本発明は、以上のような欠点をなくすためになされたものである。
【課題を解決するための手段】
【０００５】  発光体をＬＥＤ（１）とする場合、ＬＥＤの一端にソーラーパネル（２）を放射状にソーラーパネル（２）を設け、全体をソーラーパネル（２）で囲む。
本発明は、以上の構成よりなる放射発電機である。
【発明の効果】
【０００６】（イ）ＬＥＤとソーラーパネルを接近させることにより太陽光に近い光を受けることができる。
（ロ）ソーラーパネルを放射状に設けることにより、ソーラーパネルの面積を多くすることができる。
（ハ）全体をソーラーパネルで囲むことにより、光反射状態になりソーラーパネル全部に光が当たると高電力を発生する。
（ニ）以上のことにより自動車に使用、自家発電機も可能である。
【図面の簡単な説明】
【０００７】
【図１】本発明の上面図である。
【発明を実地するための形態】
【０００８】  以下本発明を実施するため最良の形態について説明する。
ＬＥＤ（１）の一端にソーラーパネル（２）を放射状に設け、全体をソーラーパネル（２）で囲む。放射状のソーラーパネルは背中合わせにする。
本発明は以上のような構造である。
これを使用するときは、ＬＥＤ（１）を点灯させることによりソーラーパネル（２）が発電する。
【符号の説明】
【０００９】  １    ＬＥＤ
２    ソーラーパネル
【図１】
2019097369.tif 000003
(57)【要約】【課題】使用者が指を挿入しやすく、かつ、携帯機器を鞄やポケットに収納した際に、携帯機器を傷つけるおそれが少ない携帯機器用ストラップを提供する。【解決手段】使用者の指が挿入されるリングを設けた携帯機器用ストラップにおいて、前記リングは硬質材料からなる内側リングと、前記内側リングの外周に該内側リングと同心円に一体的に設けられた外側リングからなり、前記外側リングは前記硬質材料よりも硬度の低い軟質材料からなる。【選択図】図１
2019097946.tif 000002
【特許請求の範囲】
【請求項１】
使用者の指が挿入されるリングを設けた携帯機器用ストラップにおいて、前記リングは硬質材料からなる内側リングと、前記内側リングの外周に該内側リングと同心円に一体的に設けられた外側リングからなり、前記外側リングは前記硬質材料よりも硬度の低い軟質材料からなることを特徴とする携帯機器用ストラップ。
【発明の詳細な説明】
【技術分野】
【０００１】
本発明は、スマートフォン等の携帯機器に取り付けられる携帯機器用ストラップに関するものである。
【背景技術】
【０００２】
スマートフォン等の携帯機器を使用する際に、携帯機器が手から滑り落ちて落下しないようにするため、携帯機器に携帯機器用ストラップ（以下、単に「ストラップ」とも言う。）を取り付けることがある。ストラップには多くの種類があるが、ストラップそのものが手から抜けにくくするためにストラップ本体の端部にリングを取り付けた携帯機器用ストラップがある（特許文献１）。
この携帯機器用ストラップにおいては、端部に取り付けられたリングに指を入れておくことで、携帯機器が手から滑り落ちた場合でも、反射的に指が曲がることで指からリングがずれることがないから、携帯機器の使用時に携帯機器の落下を有効に防止できるという効果がある。
リングの材質としては、指を入れやすくするために金属又はポリカーボネート若しくはＡＢＳ等の耐衝撃性や硬度に優れた樹脂が用いられている。
【先行技術文献】
【特許文献】
【０００３】
【特許文献１】特開２００４−１０５４２０号公報
【発明の概要】
【発明が解決しようとする課題】
【０００４】
しかしながら、このような硬い材質からなるリングは、携帯機器を鞄やポケットに収納した際に、携帯機器を傷つけるおそれがあった。
【０００５】
本発明は上述の課題を解決するためになされたものであり、携帯機器の収納時に携帯機器を傷つけるおそれの少ない携帯機器用ストラップを提供することを目的とする。
【課題を解決するための手段】
【０００６】
本発明は、使用者の指が挿入されるリングを設けた携帯機器用ストラップにおいて、前記リングは硬質材料からなる内側リングと、前記内側リングの外周に該内側リングと同心円に一体的に設けられた外側リングからなり、前記外側リングは前記硬質材料よりも硬度の低い軟質材料からなることを特徴とする。
【発明の効果】
【０００７】
本発明の携帯機器用ストラップは、硬質材料からなる内側リングの外周に軟質材料からなる外側リングを設けているため、使用者が指を通しやすいと同時に、携帯機器の収納時に携帯機器を傷つけるおそれが少ないという効果を奏する。
【図面の簡単な説明】
【０００８】
【図１】本発明に係る携帯機器用ストラップの実施形態を示す正面図である。
【図２】上記実施形態の分解斜視図である。
【図３】上記実施形態の分解斜視図である。
【発明を実施するための形態】
【０００９】
以下、本発明の好ましい実施形態を図１ないし図３を参照して説明する。
【００１０】
図１は、本実施形態の携帯機器用ストラップ１の正面図である。ストラップ１は、使用者の指が挿入される内側リング２と、内側リング２の外周に設けられた外側リング３とからなる。内側リング２は剛性の高いポリカーボネート製であり、ストラップ１全体の形状が保たれるため、使用者が指を挿入しやすい。外側リング３は柔軟性の高い熱可塑性ポリウレタン（ＴＰＵ）製であり、携帯機器表面に用いられる樹脂素材と比較して柔らかいため、携帯機器の表面を傷つけるおそれが少ない。
【００１１】
図２および図３は、ストラップ１の分解斜視図であり、内側リング２と外側リング３を示す。内側リング２の下側（図１における方向を言う。以下、全方向について同じ。）には、図示しない取り付紐が挿通される紐挿通孔４が設けられた略Ｕ字上の結合部５が固定されている。外側リング３の下方には結合部５が挿入固定される受け部６が設けられている。
【００１２】
ストラップ１の製造方法としては、内側リング２を成型後、紐挿通孔４に図示しない取り付紐を挿通し、この取り付紐が下方に抜けないよう、紐挿通孔４よりも径の大きな抜け防止部を設ける。抜け防止部としては、例えば、結び目とすることができる。紐挿通孔４が剛性の高いポリカーボネート製の内側リング２に設けられていることにより、取り付紐の抜けるおそれが少ない。
【００１３】
その後、内側リング２を金型内に配置しＴＰＵを射出することで、外側リング３が成型される。このようにすることで、内側リング２と外側リング３が強固に結合したストラップ１が製造される。
【００１４】
なお、本実施形態では内側リング２をポリカーボネートで、外側リング３をＴＰＵで製造しているが、技術上記に照らし、他の材料を適宜選択することができる。例えば内側リングには金属を、外側リングにはシリコーンを用いることができる。また、本実施形態では結合部５と受け部６により内側リング２と外側リング３とを固定しているが、接着剤など他の方法で相互に固定しても良い。
【符号の説明】
【００１５】
１    携帯機器用ストラップ
２    内側リング
３    外側リング
４    紐挿通孔４
５    結合部５
６    受け部
【図１】
2019097946.tif 000003
【図２】
2019097946.tif 000004
【図３】
2019097946.tif 000005
(57)【要約】【課題】様々なＬＥＤモジュールに対応するＬＥＤ点灯装置において、光源モジュール毎に最適な動作条件を検出し、高効率なＬＥＤ点灯装置を提供する。【解決手段】ＬＥＤモジュールの特性に依存する臨界モードで動作する降圧チョッパー方式のＬＥＤ点灯回路において、発振周波数が最も低くなる条件であるＬＥＤモジュールの動作電圧の約２倍となる直流電圧をＬＥＤ点灯回路へ入力するよう制御する。【選択図】図１
2019016492.tif 000002
【特許請求の範囲】
【請求項１】
出力電力の制御にスイッチング周波数の変動を伴うスイッチングレギュレータ回路を有し、スイッチングレギュレータ回路の出力端に降圧チョッパー方式のＬＥＤモジュールを駆動する点灯回路を構成するＬＥＤ点灯装置において、接続されるＬＥＤモジュールの順電圧に対して、前記スイッチングレギュレータ回路の出力電圧が1.8〜2.2倍の範囲となるよう制御することを特徴とするＬＥＤ点灯装置。
【発明の詳細な説明】
【技術分野】
【０００１】
本発明は、ＬＥＤ点灯装置に関するものである。
【背景技術】
【０００２】
光源にＬＥＤモジュールを用いた照明器具で、使用者が照明器具から光源を取り外し、交換、および取り付け直し等が可能な照明器具がある。規格化されている光源は定格電流が定められており、光源の明るさは定格電圧を変えることで様々なバリエーションが存在している。これらのＬＥＤ点灯装置は、ＬＥＤへの電力供給を定電流で制御しているため、規格化された光源との組合せのマッチングが図られているが、ＬＥＤ技術の発展に伴う発光効率の向上により、光源の定格電圧が低下傾向にある。したがって、光源であるＬＥＤモジュールを駆動する点灯回路へ入力される直流電圧と、ＬＥＤモジュールの定格電圧の差が拡大しており回路効率の低下を招くこととなる。回路効率の改善は特許文献１のようなＬＥＤ点灯装置があるが、前述の入出力電圧差による効率悪化は避けられない。
【先行技術文献】
【特許文献】
【０００３】
【特許文献１】特開2013-048022号公報
【発明の概要】
【発明が解決しようとする課題】
【０００４】
光源をモジュールとして交換可能で、様々な光源に対応するＬＥＤ点灯装置において、組合わせる光源の特性を検出し、回路効率が最大となるようＬＥＤ点灯回路へ入力する直流電圧を制御することで、１種類の点灯装置で様々な光源との組合せにおいて高効率なＬＥＤ点灯装置を提供することを目的とする。
【課題を解決するための手段】
【０００５】
ＬＥＤ点灯回路に多く用いられている降圧チョッパー方式の臨界モード動作では、発振周波数は負荷である光源の特性に依存する。本発明では、光源の動作電圧を検出し、最も発振周波数が低くなる条件である光源の動作電圧の約２倍となる直流電圧をＬＥＤ点灯回路へ入力するよう制御し、発振周波数低減によりスイッチング損失を極小化する。
【発明の効果】
【０００６】
本発明によれば、スイッチング損失が最も小さくなる動作条件での回路動作が可能となるため、１種類の点灯装置で様々な光源との組合せ時においてもＬＥＤ点灯装置の回路効率を改善できる。
【図面の簡単な説明】
【０００７】
【図１】本発明の一実施例の構成例を示す図である。
【図２】スイッチングレギュレータ回路の出力電圧と降圧チョッパー回路の発振周波数の関係を示す図である。
【図３】スイッチングレギュレータ回路の出力電圧と降圧チョッパー回路の回路効率の関係を示す図である。
【発明を実施するための形態】
【０００８】
本実施形態の一例を、図１、図２および図３を用いて説明する。
図１のＬＥＤ点灯装置１は、昇圧形臨界モードで動作するスイッチングレギュレータ回路２を備える。スイッチングレギュレータ回路２は、スイッチ７のオンオフ動作により、後段のＬＥＤ点灯回路３へＶＯなる安定した直流電圧を出力する。
【０００９】
ＬＥＤ点灯回路３は臨界モードで動作する降圧チョッパー回路で構成されており、前段のスイッチングレギュレータ回路２により与えられる直流電圧ＶＯにより動作し、ＬＥＤモジュール４へ直流の定電流を供給する。ＬＥＤモジュール４の順電圧は定格電流が与えられたことによりＶＦなる直流電圧が発生する。
【００１０】
ＬＥＤ点灯回路３動作開始時はスイッチングレギュレータ回路２が出力する任意のＶＯで動作し、ＬＥＤモジュール４に定格電流に相当する定電流を与える。
ＬＥＤ点灯回路３を構成する降圧チョッパー方式のスイッチング回路においては、スイッチング損失を低減する目的で臨界モード動作を用いることが一般的である。臨界モード動作では、チョークコイル８に流れる電流が反転するタイミングで次サイクルのスイッチングを開始するため、発振周波数は負荷であるＬＥＤモジュール４の特性に依存する。
図２はスイッチングレギュレータ回路２の出力電圧ＶＯとＬＥＤ点灯回路３を構成する降圧チョッパー回路の発振周波数の関係を示したものである。スイッチングレギュレータ回路２の出力電圧ＶＯがＬＥＤモジュール４の順電圧ＶＦの２倍となる条件において、ＬＥＤ点灯回路３を構成する降圧チョッパー回路の発振周波数が最も小さくなる。このとき、単位時間あたりのスイッチング損失が極小となり、図３に示すとおりＬＥＤ点灯回路３を構成する降圧チョッパー回路の回路効率が最も大きくなる。
回路効率が最大となるように動作させるために、ＬＥＤモジュール４の順電圧ＶＦを電圧検出手段５により検出し、スイッチングレギュレータ回路２の出力電圧制御手段６に入力する。出力電圧制御手段６により、スイッチングレギュレータ回路２の出力電圧ＶＯは、ＬＥＤモジュール４の順電圧ＶＦの２倍となるように制御する。
【符号の説明】
【００１１】
１  ＬＥＤ点灯装置
２  スイッチングレギュレータ回路
３  ＬＥＤ点灯回路
４  ＬＥＤモジュール
５  電圧検出手段
６  出力電圧制御手段
７  スイッチ
８  チョークコイル
【図１】
2019016492.tif 000003
【図２】
2019016492.tif 000004
【図３】
2019016492.tif 000005
(57)【要約】      （修正有）【課題】従来のバス停時刻掲示板だと、次にくるバスが何時何分なのか、予定どおり来ているのか、遅延しているのかがよくわからない。客がもう少し待てば、すぐにバスが来るのか、それとも当分こないのかがわからない。よって、客は、バスをのりすごすことがあるという難点がある。【解決手段】太陽光パネルを掲示板に取付ることにより、時刻掲示板を電子化し、センサーでバスが到着すると感知し、時刻表のランプと対応させ、どこまで発車したのか、次にくるバスは何時何分の分で現在予定どおりなのか、遅延しているのかがわかる。【選択図】図１
2019016334.tif 000002
【特許請求の範囲】
【請求項１】
時刻掲示板は、上面が太陽光パネルであり、それにより電子化されている。
【請求項２】
時刻掲示板は、現在時刻を表示している。（デジタル時刻）
【請求項３】
掲示板は、夜間表面に明りが灯ることにより見やすくなっている。
【請求項４】
掲示板表面にセンサーがあり、バス到着、発車により、ランプが移動する。
【発明の詳細な説明】
【発明の概要】
【発明が解決しようとする課題】バス停時刻掲示板は、従来鉄板にインクで印字されており、見れば、バス発車時刻がわかるのであるが、バスは交通の事情のため発車時刻が遅延する事があり、客が待っていても、すでに発車したのか、それとも遅延してまだ来ていないのかの判断がつきにくい。
そのため、客がバスに乗れないことがある。
【課題を解決するための手段】バスの時刻掲示板を電子掲示板にかえることにより、今どこまでバスが来たか、これから来るバスは、何時何分の分か、予定通り発車しているのか、遅延していてまだ来ていないのかを理解し、それに対応して待つことができる。掲示は太陽光パネルである。
【発明の効果】客が掲示板を見て、もう少し待つ必要があるのか、どう対応すれば、早く目的地へ辿りつけるのかを早く判断する事ができる。
【図面の簡単な説明】
【図１】本発明の実施形態を示す電子掲示板の表面図
【発明を実施するための形態】
１は、現在時刻を示す
２は、現在時刻に対し、次のバス到着時刻表時刻を示す
３は、○はランプがどちらかにつくことにより、予定通りか遅延かがわかる。
４は、時刻表の具体的時刻のうち、○のランプがついた分が次到着予定であることを示す。
５は、このバス停がどこ経由どこ行かを表示する。
６は、時刻掲示板を電子化するにあたり、電気をどこから採るかである。
太陽光パネルを掲示板に取付ることにより電子化する。
６の上面がパネルになって発電することにより充電できる。
７は、図１の表面は、昼間は電気が灯らないが、夜は掲示板が文字が読みづらいといけないので、電気が灯る仕組である。
７は、センサーがついており、バスが到着すると感知し、時刻表のランプと対応する。
バスが発車すると次のランプがつくようになっている。
【図１】
2019016334.tif 000003
(57)【要約】【課題】貢献活動の現場の人手不足を解消する。【解決手段】ＶＴが適材適所で活動するためにＶｏｌｕｎｔｅｅｒ  ｍａｔｃｈｉｎｇ  ｓｙｓｔｅｍ（ＶＭＳ）で、ＶＴを必要としている者（ＶＴＮ）の募集情報をＶＭＳに掲載する。ＶＴはＶＭＳから応募する。ＶＭＳにてＶＴＮとＶＴのマッチングを行う。【選択図】なし【特許請求の範囲】
【請求項１】
ＶＴが適材適所で活動するためにＶｏｌｕｎｔｅｅｒ  ｍａｔｃｈｉｎｇ  ｓｙｓｔｅｍ（ＶＭＳ）で、ＶＴを必要としている者（ＶＴＮ）の募集情報をＶＭＳに掲載し、ＶＴはＶＭＳから応募する貢献活動への資金調達であって、
ＶＭＳにてＶＴＮとＶＴのマッチングを行い、Ｃｌｏｕｄ  Ｆｕｎｄｉｎｇ（ＣＦ）にてＶＴの活動資金を調達し、ＣＦでの資金提供者（ＣＦＤ）へのお礼のリターン（ＲＴ）を用意し、第三者が著名人の場合、本人の物品・サービスをＲＴとして提供し、企業の場合、自社の商品・サービスを無償又は安価でＲＴとして提供し、貢献組織の場合、感謝状や活動視察ツアー、ノベルティー等をＲＴとして提供し、いずれもＲＴの情報は事前にＣＦのシステムに登録し、そのＲＴをＣＦを通してＣＦＤが購入し、ＶＴはＲＴとして活動中の報告をＶＭＳを通して写真・動画・レポートにてＣＦＤに行い、ＣＦＤは自分が現場に行くことが出来なくても、自分の資金によりＶＴが活躍することで資金が有効活用されていることが実感でき、効果が見える化されるようにし、著名人・企業・貢献組織などは応援メッセージをＣＦ・ＶＭＳに情報登録し、応援リレーを行い、情報が登録されるとＣＦ・ＶＭＳから各会員にＥメールが通知され、ＣＦ・ＶＭＳのページをＳＮＳで共有すると、カウントシステムにより共有の回数が計算され、共有数に応じて支援金の増加または代わりのインセンティブが発生し、これにより、ＶＴの適材適所のマッチングをし、ＶＴの活動を見える化し、資金が集まりやすいシステム・仕組みを構築し、ＶＴへの資金提供を促進することで、支援が効果的に広がることを目指す
ことを特徴とする貢献活動への資金調達。
【発明の詳細な説明】
【技術分野】
【０００１】
この発明は、貢献活動への資金調達に関する。
【背景技術】
【０００２】
貢献活動への資金調達に関する各種技術が提案されている（例えば、特許文献１参照）。
【先行技術文献】
【特許文献】
【０００３】
【特許文献１】特開２０１５−２０１１４９
【発明の概要】
【発明が解決しようとする課題】
【０００４】
貢献活動の現場において人手不足は慢性的な課題である。専門家が不足する問題もある中、専門性の必要がない仕事においても人手不足により専門家が行う現状も多い。Ｖｏｌｕｎｔｅｅｒ（ＶＴ）の協力があることで全般的な業務の手助けと共に、専門家が本来の専門領域で効果的に活動ができる状況を作ることができる。しかし、ＶＴが不足する課題もある。一般にＶＴが活動する資金は自己負担となるケースが多い。活動期間が長くなるほど本人の負担が大きくなりＶＴの参加が少なくなる原因となる。ＶＴとはいえ、個人の資金・時間・労力の負担は大きくなる。資金部分におけるＶＴの負担を軽減する方法が課題である。目に見えやすい物資・建築物への資金は集まりやすい傾向にあるが、物品ではなく見えづらいＶＴへの資金提供は集まりづらい。ＶＴへの資金提供を促進するためには、見えづらいＶＴの活動を見える化し、資金が集まりやすいシステム・仕組みを構築する必要がある。結果として、ＶＴが増え、現場で適材適所で活動が行われ、支援が効果的に広がることになる。
【課題を解決するための手段】
【０００５】
上記課題を解決するため、本発明は、ＶＴが適材適所で活動するためにＶｏｌｕｎｔｅｅｒ  ｍａｔｃｈｉｎｇ  ｓｙｓｔｅｍ（ＶＭＳ）で、ＶＴを必要としている者（ＶＴＮ）の募集情報をＶＭＳに掲載する。ＶＴはＶＭＳから応募する。ＶＭＳにてＶＴＮとＶＴのマッチングを行う。Ｃｌｏｕｄ  Ｆｕｎｄｉｎｇ（ＣＦ）にてＶＴの活動資金を調達する。ＣＦでの資金提供者（ＣＦＤ）へのお礼のリターン（ＲＴ）を用意する。ＲＴを提供する者（ＲＴＵ）は通常、ＣＦのプロジェクト主催者（ＣＦＵ）であるが、ＶＴへの資金提供に賛同する第三者に協力していただく。第三者が著名人の場合、既存の寄付手法として本人の物品・サービスをオークションに出品して落札額を寄付に当てるケースがあるが、本件のケースでは本人の物品・サービスをＲＴとして提供する。企業の場合、自社の商品・サービスを無償又は安価でＲＴとして提供する。貢献組織の場合、感謝状や活動視察ツアー、ノベルティー等をＲＴとして提供する。いずれもＲＴの情報は事前にＣＦのシステムに登録し、そのＲＴをＣＦを通してＣＦＤが購入する。ＶＴはＲＴとして活動中の報告をＶＭＳを通して写真・動画・レポートにてＣＦＤに行う。ＣＦＤは自分が現場に行くことが出来なくても、自分の資金によりＶＴが活躍することで資金が有効活用されていることが実感でき、効果が見える化される。ＣＦ・ＶＭＳ拡散システム。著名人・企業・貢献組織などは応援メッセージをＣＦ・ＶＭＳに情報登録し、応援リレーを行う。情報が登録されるとＣＦ・ＶＭＳから各会員にＥメールが通知される。ＣＦ・ＶＭＳのページをＳＮＳで共有すると、カウントシステムにより共有の回数が計算され、共有数に応じて支援金の増加または代わりのインセンティブが発生する。上記により、ＶＴの適材適所のマッチングをし、ＶＴの活動を見える化し、資金が集まりやすいシステム・仕組みを構築し、ＶＴへの資金提供を促進することで、支援が効果的に広がることを目指す。
(57)【要約】【課題】  コンピュータシステムの大きな広告の表示において、利用者が広告表示タイミングの制御を行うことができるシステムである。【解決手段】  広告を表示するためのボタン等の部品へのタッチ操作により広告を事前に表示できる。その広告を表示すると、その後は一定期間は広告が表示されない。部品への複数回のタッチ操作により、複数回の広告を表示させることで、広告を表示させない期間を延長できる。【選択図】図１
2019215837.tif 000002
【特許請求の範囲】
【請求項１】
画面の部品へのタッチ操作により大きな広告を表示させて、その後は一定期間大きな広告が表示されないようにでき、複数回表示させることで大きな広告を表示させない期間を延長できるシステム。
【発明の詳細な説明】
【技術分野】
【０００１】  本発明は、コンピュータシステムの大きな広告の表示において、利用者が広告表示タイミングの制御を行うことができるシステムである。
【背景技術】
【０００２】  従来、コンピュータシステムが決めたタイミングで画面に大きな広告を表示する方法があった。
【発明の概要】
【発明が解決しようとする課題】
【０００３】  大きな広告の表示タイミングをコンピュータシステムが決めるため、利用者が広告表示に邪魔されて快適にコンピュータシステムを利用できなかった。
しかし、コンピュータシステムの維持のためには広告表示が必要である。
本発明は、これらの欠点を解決するためのものである。
【課題を解決するための手段】
【０００４】  通常は、画面にコンピュータシステムが決めたタイミングで大きな広告が表示される。広告を表示するためのボタン等の部品へのタッチ操作により広告を事前に表示できる。
その広告を表示すると、その後は一定期間は広告が表示されない。
部品への複数回のタッチ操作により、複数回の広告を表示させることで、広告を表示させない期間を延長できる。
期間の延長には制限をもうけることができる。
本発明は以上の構成からなる、大きな広告の表示タイミングを利用者が制御できるシステムである。
【発明の効果】
【０００５】  利用者が大きな広告の表示タイミングを制御できることによって、広告が邪魔にならずにコンピュータシステムを利用できる。
そのため、利用者がコンピュータシステムを使い続ける可能性が高くなる。
広告の表示回数は、延長させる期間の長さを変更することにより調整することができる。利用者の都合のいいタイミングで広告が表示されるため、広告内容への関心度を上げることができる。
まとめて複数回の広告を表示させて、広告を表示させない期間を延長させても、その期間にコンピュータシステムを利用しない場合もあるので広告表示率を上げることができる。
【図面の簡単な説明】
【０００６】
【図１】広告の事前表示の操作を示す説明図である。
【図２】広告の表示を示す説明図である。
【図３】広告を表示させない期間が延長されていることを示す説明図である。
【発明の実施するための形態】
【０００７】  以下、本発明の実施形態を図面を参照して説明する。
（イ）  図１は事前に広告を表示するためのボタンを表している。事前に広告を表示するために、広告を表示するボタンをタッチ操作する。
（ロ）  図２は広告表示を表している。画面に広告が表示される。
（ハ）  図３は広告表示後のボタンを表している。広告を表示させない期間が延長されている。
【図１】
2019215837.tif 000003
【図２】
2019215837.tif 000004
【図３】
2019215837.tif 000005